(57)【要約】      （修正有）【課題】人為的な点数計算による計算漏れ、計算ミス等の問題が避けられ、娯楽試合が順調で公平に行われる電子点数計算用の娯楽チップを提供する。【解決手段】電子点数計算用の娯楽チップは、無線周波数タグ２００が内蔵されているチップバーを含み、無線周波数タグは無線周波数チップ２３０とチップバーの両端に設けられている無線周波数アンテナ２２０を含み、無線周波数アンテナと無線周波数チップは無線周波数信号を送受信するために電気的に接続されている。娯楽チップには、棒状の構造が採用されており、伝統的な円板状のチップと比べて、チップの出し入れがより便利になり、より小さいスペースが占められる。また、娯楽チップに無線周波数タグが内蔵されていることで、娯楽チップ毎に例えばチップ属性やスコア値等のような唯一の身分標識を有するようになる。これによって、娯楽や試合中に電子点数計算システムにより各参加者が所持するチップに対して点数が計算される。【選択図】図２
0003230343.tif 000002
【実用新案登録請求の範囲】
【請求項１】
無線周波数タグが内蔵されているチップバーを含む電子点数計算用の娯楽チップであって、前記無線周波数タグは無線周波数チップと前記チップバーの両端に設けられている無線周波数アンテナを含み、前記無線周波数アンテナと前記無線周波数チップは無線周波数信号を送受信するために電気的に接続されていることを特徴とする、電子点数計算用の娯楽チップ。
【請求項２】
前記無線周波数タグは、前記チップバー内に固定されているタグスタンドを更に含み、前記無線周波数チップと前記無線周波数アンテナは前記タグスタンドに実装されていることを特徴とする、請求項１に記載の電子点数計算用の娯楽チップ。
【請求項３】
前記タグスタンドにチップ溝が設けられ、前記無線周波数チップは前記チップ溝内に固定されていることを特徴とする、請求項２に記載の電子点数計算用の娯楽チップ。
【請求項４】
前記タグスタンドの両端に巻線ポールが設けられ、前記無線周波数アンテナは前記巻線ポールに巻き付けられていることを特徴とする、請求項２に記載の電子点数計算用の娯楽チップ。
【請求項５】
前記巻線ポールの端部に前記タグスタンドの軸方向における位置を制限するためのストッパが設けられていることを特徴とする、請求項４に記載の電子点数計算用の娯楽チップ。
【請求項６】
前記タグスタンドにその軸方向に沿ってリード線溝が設けられており、前記無線周波数アンテナは、前記リード線溝を経由して前記無線周波数チップに接続されていることを特徴とする、請求項４に記載の電子点数計算用の娯楽チップ。
【請求項７】
前記チップバーの外面に点数標識が設けられていることを特徴とする、請求項１〜６のいずれか一項に記載の電子点数計算用の娯楽チップ。
【請求項８】
前記チップバーは、長尺状の第一ケースと第二ケースを組み付けて構成され、前記無線周波数タグは、前記第一ケースと前記第二ケースを組み付けて成すチャンバ内に内蔵されていることを特徴とする、請求項１〜６のいずれか一項に記載の電子点数計算用の娯楽チップ。
【考案の詳細な説明】
【技術分野】
【０００１】
本考案は、チェス・カード娯楽器具分野に関し、特に電子点数計算用の娯楽チップに関する。
【背景技術】
【０００２】
チェス・カードや麻雀などのような知的競合ゲームにおいて、競合の面白さを増やすために、通常、参加者には点数計算用又は賭け金の代替品としてのチップが割り当てられる。麻雀などの娯楽活動において、チップは競合性や面白さを調節するのに欠かせない必需品となっている。従来の現物チップ（プラスチック、紙カード、コインなど）は人工により点数計算される必要があるため、一局の所要時間が長引かれるだけでなく、計算漏れや計算ミスの問題が発生し、より重要なのは、従来のチップに濫用や偽造の問題があるため、チェス・カード娯楽活動の公平性に影響を及ぼす。
【考案の概要】
【考案が解決しようとする課題】
【０００３】
本考案が解決しようとする技術的課題は従来技術における不足を克服して電子点数計算用の娯楽チップを提供することである。
【課題を解決するための手段】
【０００４】
上記技術的課題を解決するために、本考案は以下の技術案を採用している。
つまり、無線周波数タグが内蔵されているチップバーを含む電子点数計算用の娯楽チップであって、前記無線周波数タグは無線周波数チップとチップバーの両端に設けられている無線周波数アンテナを含み、前記無線周波数アンテナと前記無線周波数チップは無線周波数信号を送受信するために電気的に接続されている。
【０００５】
上記電子点数計算用の娯楽チップにおいて、前記無線周波数タグは、前記チップバー内に固定されているタグスタンドを更に含み、前記無線周波数チップと前記無線周波数アンテナは前記タグスタンドに実装されている。
【０００６】
上記電子点数計算用の娯楽チップにおいて、前記タグスタンドにチップ溝が設けられ、前記無線周波数チップは前記チップ溝内に固定されている。
【０００７】
上記電子点数計算用の娯楽チップにおいて、前記タグスタンドの両端に巻線ポールが設けられ、前記無線周波数アンテナは前記巻線ポールに巻き付けられている。
【０００８】
上記電子点数計算用の娯楽チップにおいて、前記巻線ポールの端部に前記タグスタンドの軸方向における位置を制限するためのストッパが設けられている。
【０００９】
上記電子点数計算用の娯楽チップにおいて、前記タグスタンドにその軸方向に沿ってリード線溝が設けられており、前記無線周波数アンテナは、前記リード線溝を経由して前記無線周波数チップに接続されている。
【００１０】
上記電子点数計算用の娯楽チップにおいて、前記チップバーの外面にスコア値標識が設けられている。
【００１１】
上記電子点数計算用の娯楽チップにおいて、前記チップバーは、長尺状の第一ケースと第二ケースを組み付けて構成され、前記無線周波数タグは、第一ケースと第二ケースを組み付けて成すチャンバ内に内蔵されている。
【考案の効果】
【００１２】
本考案で開示された電子点数計算用の娯楽チップは、無線周波数タグが内蔵されているチップバーを含み、前記無線周波数タグは無線周波数チップとチップバーの両端に設けられている無線周波数アンテナを含み、前記無線周波数アンテナと前記無線周波数チップは無線周波数信号を送受信するために電気的に接続されている。まず、本考案における娯楽チップには、棒状の構造が採用されており、伝統的な円板状のチップと比べて、本考案におけるチップは、出し入れがより便利になり、より小さいスペースを占める。また、本考案における娯楽チップに無線周波数タグが内蔵されていることで、娯楽チップ毎に例えばチップ属性やスコア値等のような唯一の身分標識を有するようになる。これによって、娯楽や試合中に電子点数計算システムにより各参加者が所持するチップに対して点数が計算され、人工的な点数計算による計算漏れ、計算ミス等の問題が避けられ、娯楽試合が順調で公平に行われる。
【００１３】
なお、無線周波数識別（ＲＦＩＤ）は、無線通信技術の一つであり、システムと特定された目標との間で機械的又は光学的接触を形成することを識別することなく、無線信号により特定された目標を識別して関連データを読み書く。この原理に基づき、本考案に記載の娯楽チップは、例えば、電子点数計算システムが搭載される自動麻雀卓のような電子識別機能を有するチェス・カード娯楽機器に使用される。本考案における娯楽チップは、棒状の構造にデザインされ、チップバーの両端ともに無線周波数アンテナが設けらているため、提娯楽チップの信号送受信領域が大幅に広げられ、無線周波数識別の安定性と信頼性が向上され、娯楽チップのスタッキング時に無線周波数が遮断されて一部のチップが識別できなくなる問題も避けられ、チップ識別の正確度が高められる。
【００１４】
本考案のこれらの特徴と利点は、後述される具体的な実施形態や図面にて詳しく開示される。
【００１５】
以下、図面を参照して本考案を更に説明する。
【図面の簡単な説明】
【００１６】
【図１】本考案の一つの実施例におけるチップバーの構造模式図である。
【図２】本考案の一つの実施例におけるチップバーの分解構造の模式図である。
【図３】本考案の一つの実施例における自動麻雀卓の構造模式図である。
【考案を実施するための形態】
【００１７】
本考案で開示された電子点数計算用の娯楽チップは、無線周波数タグが内蔵されているチップバーを含み、前記無線周波数タグは無線周波数チップとチップバーの両端に設けられている無線周波数アンテナを含み、前記無線周波数アンテナと前記無線周波数チップは無線周波数信号を送受信するために電気的に接続されている。娯楽チップには、棒状の構造が採用されており、伝統的な円板状のチップと比べて、本考案におけるチップは、出し入れがより便利になり、より小さいスペースを占める。娯楽チップに無線周波数タグが内蔵されていることで、娯楽チップ毎に例えばチップ属性やスコア値等のような唯一の身分標識を有するようになり、これによって、娯楽や試合中に電子点数計算システムにより各参加者が所持するチップに対して点数が計算され、人工的な点数計算による計算漏れ、計算ミス等の問題が避けられ、娯楽試合が順調で公平に行われる。
【００１８】
以下、本考案の実施例における図面を参照して本考案の実施例における技術案を解釈して説明する。但し、後述される実施例は本考案の好適な実施例に過ぎず、考案のすべてではない。当業者により、実施形態における実施例に基づいて創造的労働を経ずに得られた実施例は、全部本考案の保護範囲に含まれる。
【００１９】
本考案の記載において、用語「中心」、「縦方向」、「横方向」、「長さ」、「幅」、「厚さ」、「上」、「下」、「前」、「后」、「左」、「右」、「垂直」、「水平」、「天井」、「底」、「内」、「時計回り」、「反時計回り」などにより示される方位又は位置関係は、図面に示された方位又は位置関係に基づくものだと理解されるべきである。これらの用語は本考案を描いて記載を簡単にするためのものであり、記載される装置又は要素が必ず特定の方位を有したり、特定の方位で構成や操作されたりすることを示すものではない。よって、これらの用語が本考案を限定するものだと理解されるべきではない。
【００２０】
また、用語「第一」、「第二」は、目的を述べるためにしか使用されず、相対的な重要性を明示又は暗示し、或いは示される技術的特徴の数を暗黙的に開示するものだと理解されるべきではない。よって、「第一」、「第二」により限定された特徴は、一つ又は更に多い当該特徴を明示的に又は暗黙的に含むことが可能である。本考案に関する記載においては、ほかに明確な限定がない限り、「複数」は二つ以上であることを意味する。
【００２１】
本考案において、ほかに明確な規定や限定がない限り、「実装」、「繋がる」、「接続」、「固定」等のような用語は、広義に理解されるべきであり、例えば、固定して接続してもよく、出し入れ可能に接続してもよく、一体にしてもよく、机械的な接続であってもよく、電気的な接続であってもよく、また、直接つながってもよく、中間媒体を介して間接的につながってもよく、二つの要素内部の連通であってもよい。当業者にとって、具体的な状況によって本考案における上記用語の具体的な意味を理解できる。
【００２２】
本考案において、ほかに明確な規定や限定がない限り、第一特徴が第二特徴の「上」又は「下」にあるとは、第一特徴と第二特徴とが直接接触することを含んでもよく、第一特徴と第二特徴とが直接接触せずにその間にある他の特徴を通じて接触することを含んでもよい。そして、第一特徴が第二特徴の「上」、「上方」及び「上面」にあるとは、第一特徴が第二特徴の真上及び斜め上方にあることを含み、又は第一特徴の水平高さが第二特徴より高いことだけを示す。第一特徴が第二特徴の「下」、「下方」及び「下面」にあるとは、第一特徴が第二特徴の真下及び斜め下方にあることを含み、又は第一特徴の水平高さが第二特徴より低いことだけを示す。
【００２３】
図１と２を参照すると、本考案における実施例の一つにおいて電子点数計算用の娯楽チップが開示され、当該電子点数計算用の娯楽チップは、無線周波数タグ２００が内蔵されているチップバー１００を含み、無線周波数タグ２００は無線周波数チップ２３０とチップバー１００の両端に設けられている無線周波数アンテナ２２０を含み、無線周波数アンテナ２２０と無線周波数チップ２３０は無線周波数信号を送受信するために電気的に接続されている。
【００２４】
本実施例における無線周波数タグ２００は、タグスタンド２１０をさらに含み、無線周波数チップ２３０と無線周波数アンテナ２２０は、タグスタンド２１０に実装されている。タグスタンド２１０は、長尺状であり、その中部位置に無線周波数チップ２３０が実装され、その軸方向両端にそれぞれ無線周波数アンテナ２２０が実装され、両端における無線周波数アンテナ２２０は、それぞれ無線周波数チップ２３０に接続されている。実際の組み立て時に、無線周波数チップ２３０と無線周波数アンテナ２２０は、タグスタンド２１０とともに、一つのアセンブリとしてチップバー１００内に実装され、無線周波数チップ２３０と無線周波数アンテナ２２０を別々に実装することでもたらされたプロセス的な問題とコスト的な問題が避けられる。タグスタンド２１０が無線周波数チップ２３０と無線周波数アンテナ２２０の実装キャリアとしてチップバー１００内に固定されると、無線周波数チップ２３０と無線周波数アンテナ２２０のチップバー１００内における相対位置が確定でき、ガタツキが生じにくくなり、信号の送受信の安定性がよい。
【００２５】
好ましくは、本実施例におけるチップバー１００は、長尺状の第一ケース１１０と第二ケース１２０を組み付けて構成され、第一ケース１１０と第二ケース１２０のいずれにも凹溝が設けられており、第一ケース１１０と第二ケース１２０を組み付けると、両者の凹溝により無線周波数タグ２００を収容するチャンバが構成され、無線周波数タグ２００がチャンバ内に固定される。例示的には、まず無線周波数タグ２００を第一ケース１１０の凹溝内に装入してから、第二ケース１２０を第一ケース１１０にキャッピングし、粘着や圧接等の方法により第一ケース１１０と第二ケース１２０との間を固定することで、第一ケース１１０と第二ケース１２０とを固接させると同時に、タグスタンド２１０をクランプして固定させる。当然、タグスタンド２１０をチップバー１００内に固定する方法は限定されず、他の幾つかの実施例において、タグスタンド２１０は、粘着や係合等の方法により第一ケース１１０と第二ケース１２０内に直接固定できる。無線周波数タグ２００は、タグスタンド２１０を無くして、無線周波数チップ２３０と無線周波数アンテナ２２０を個別に第一ケース１１０又は第二ケース１２０内に固定できる。
【００２６】
本実施例における娯楽チップには棒状の構造が採用されており、伝統的な円板状のチップと比べて、チップの出し入れがより便利になり、より小さいスペースが占められる。また、本考案における娯楽チップに無線周波数タグが内蔵されていることで、娯楽チップ毎に例えばチップ属性やスコア値等のような唯一の身分標識を有するようになる。これによって、娯楽や試合中に電子点数計算システムにより各参加者が所持するチップに対して点数が計算され、人工的な点数計算による計算漏れ、計算ミス等の問題が避けられ、娯楽試合が順調で公平に行われる。
【００２７】
図１と図２を参照すると、本考案における実施例の一つにおいて、タグスタンド２１０にチップ溝２１１が設けられ、無線周波数チップ２３０はチップ溝２１１内に固定されている。これによって、無線周波数チップ２３０がよりよく保護され、組付け時に潰されることが避けられる。タグスタンド２１０の両端に巻線ポール２１４が更に設けられ、無線周波数アンテナ２２０は巻線ポール２１４に巻き付けられている。巻線ポール２１４の断面積がタグスタンド２１０の断面積より小さいため、十分な巻線空間が提供され、組付け時に無線周波数アンテナ２２０を圧迫することが避けられる。
【００２８】
好ましくは、巻線ポール２１４の端部にタグスタンド２１０の軸方向における位置を制限するためのストッパ２１３が更に設けられており、両端の巻線ポール２１４におけるストッパ２１３は、それぞれチップバー１００の両端に止められて位置が制限されることで、タグスタンド２１０の軸方向における位置を制限する役割を果たして、チップバー１００の軸方向におけるタグスタンド２１０のドリフトを防止する。ストッパ２１３の断面積が巻線ポール２１４の断面積より大きいため、無線周波数アンテナ２２０が巻線ポール２１４の端部から脱出することが防止される。
【００２９】
好ましくは、タグスタンド２１０にその軸方向に沿ってリード線溝２１２が設けられており、無線周波数アンテナ２２０の無線周波数チップ２３０に接続するためのリード線２２１は、リード線溝２１２内を経由して無線周波数チップ２３０に接続される。これによって、組付け時に無線周波数アンテナ２２０のリード線２２１を圧迫することが避けられる。
【００３０】
図２を参照すると、本考案における実施例の一つにおいて、チップバー１００の外面にスコア値標識１３０が設けられ、例示的には、第一ケース１１０又は第二ケース１２０の外面にスコア値標識１３０が設けられている。スコア値１３０は、娯楽チップを人工で整理して配りやすくなるように、数字、符号、パターン又はこれらの組み合わせでもよい。
【００３１】
本考案の上記実施例に記載された娯楽チップは無線周波数識別技術に基づいて電子的な識別を実現する機能を有する。無線周波数識別（ＲＦＩＤ）は、無線通信技術の一つであり、システムと特定された目標との間で機械的又は光学的接触を形成することを識別することなく、無線信号により特定された目標を識別して関連データを読み書く。この原理に基づき、娯楽チップは、例えば、電子点数計算システムが搭載される自動麻雀卓のような電子識別機能を有するチェス・カード娯楽機器に使用される。例示的には、図３を参照すると、自動麻雀卓は、外枠３００とムーブメント（図示せず）を含み、ムーブメントは、外枠３００により囲まれた空間に内蔵され、読み書きチップと無線周波数受信回路と無線周波数送信回路と読み書きアンテナとを有する電子点数計算システムを含み、読み書きアンテナは無線周波数受信回路及び無線周波数送信回路のそれぞれによって読み書きチップに接続される。外枠３００の周囲にはチップ箱４００が設けられており、チップ箱４００内においては、娯楽チップを配置するための複数のチップ配置溝４１０が横方向に分割されている。本考案における実施例で開示された娯楽チップによれば、チップ配置溝４１０の対応する両側ともに読み書きアンテナが設けられている。娯楽チップがチップ配置溝４１０に入れられると、電子点数計算システムは読み書きアンテナにより無線周波数信号を送信し、娯楽チップに内蔵されている無線周波数アンテナ２２０は、無線周波数信号を受信し、これによって、無線周波数チップ２３０はこれに応答して無線周波数信号をフィードバックする。そして、読み書きアンテナは娯楽チップによりフィードバックされた無線周波数信号を読み書きチップに送信し，当該読み書きチップによりデコーディングや分析を行って娯楽チップのタグ情報を取得し、外枠３００上の表示パネル５００により当該情報を表示する。これによって、麻雀の参加者は自身と他の各方のチップ情報がわかりやすくなる。チップバー１００の両端ともに無線周波数アンテナ２２０が設けられていることで、無線周波数識別の安定性と信頼性が向上され、チップ配置溝４１０の両側における読み書きアンテナと協働して、娯楽チップに対するセンシング範囲が大幅に広げられ、娯楽チップ識別の正確度が高められ、牌局における正確な点数計算が実現され、娯楽試合が順調で公平に行われる。
【００３２】
上記内容は、本考案の具体的な実施形態に過ぎず、本考案の保護範囲を限定するものではない。当業者は、本考案が図面及び上記具体的な実施形態にて記載された内容を含むがこれらに限定されていないことを理解すべきである。本考案の機能及び構造原理を逸脱しないすべての修正は、実用新案登録請求の範囲に含まれる。
【符号の説明】
【００３３】
１００  チップバー
１１０  第一ケース
１２０  第二ケース
１３０スコア値標識
２００  無線周波数タグ
２１０  タグスタンド
２１１  チップ溝
２１２  リード線溝
２１３  ストッパ
２１４  巻線ポール
２２０  無線周波数アンテナ
２２１  リード線
２３０  無線周波数チップ
３００  外枠
４００  チップ箱
４１０  チップ配置溝
５００  表示パネル
【図１】
0003230343.tif 000003
【図２】
0003230343.tif 000004
【図３】
0003230343.tif 000005